(57)【特許請求の範囲】
【請求項１】
コンテンツ送信装置と、１以上のコンテンツ受信装置と、前記１以上のコンテンツ受信装置を操作する携帯端末とを備える限定受信システムであって、
前記コンテンツ送信装置は、
コンテンツをスクランブル鍵で暗号化するスクランブル手段と、
前記コンテンツ送信装置に固有の鍵であるワーク鍵で前記スクランブル鍵を暗号化するとともに、少なくともコンテンツに関する共通情報を前記ワーク鍵で暗号化した共通情報を作成するワーク鍵暗号化手段と、
暗号化されたコンテンツ、暗号化されたスクランブル鍵、および前記暗号化された共通情報を多重化して、前記１以上のコンテンツ受信装置それぞれに送信する第１の送信手段と、
前記ワーク鍵をコンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報とを、前記マスター鍵で暗号した個別情報を作成するマスター鍵暗号化手段と、
暗号化されたワーク鍵と前記暗号化された個別情報とを、前記携帯端末に送信する第２の送信手段と、
を備え、
前記携帯端末は、
予め設定されている前記マスター鍵で、前記コンテンツ送信装置から受信した前記暗号化されたワーク鍵と前記暗号化された個別情報とを復号し、前記ワーク鍵と前記契約情報とを取得するワーク鍵復号化手段と、
前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得するスクランブル鍵復号化手段と、
前記スクランブル鍵復号化手段で取得された前記コンテンツに関する共通情報と、前記ワーク鍵復号化手段で取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する視聴判断手段と、
前記視聴判断手段により前記コンテンツを視聴可と判断された場合に、当該視聴判断手段で決定された視聴制御に従って、前記スクランブル鍵を前記１以上のコンテンツ受信装置に送信する第３の送信手段と、
を備え、
前記１以上のコンテンツ受信装置それぞれは、
前記コンテンツ送信装置から受信した、前記暗号化されたスクランブル鍵および前記暗号化された共通情報を、前記携帯端末に送信する第４の送信手段と、
前記携帯端末からスクランブル鍵を受信し、前記コンテンツ送信装置から受信した前記暗号化されたコンテンツを、受信したスクランブル鍵で復号するデスクランブル手段と、
を備えることを特徴とする限定受信システム。
【請求項２】
前記携帯端末は、ユーザからの操作入力を受け付ける入力手段を備え、
前記スクランブル鍵復号化手段は、前記入力手段を介して、前記１以上のコンテンツ受信装置それぞれに対する、ユーザによるコンテンツ選択の入力を受け付けたことに応じて、コンテンツ選択が行われたコンテンツ受信装置にスクランブル鍵を送信することを特徴とする請求項１に記載の限定受信システム。
【請求項３】
前記携帯端末は、前記マスター鍵を前記コンテンツ送信装置との通信により取得することを特徴とする請求項１または２に記載の限定受信システム。
【請求項４】
コンテンツ送信装置と、１以上のコンテンツ受信装置と、前記１以上のコンテンツ受信装置を操作する携帯端末とを備える限定受信システムにおける限定受信方法であって、
前記コンテンツ送信装置が、前記コンテンツ送信装置に固有の鍵であるワーク鍵を、コンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報を前記マスター鍵で暗号した個別情報を作成し、暗号化したワーク鍵と前記暗号化した個別情報とを前記携帯端末に送信する第１のステップと、
前記コンテンツ送信装置が、スクランブル鍵で暗号化したコンテンツ、前記ワーク鍵で暗号化した前記スクランブル鍵、および少なくともコンテンツに関する共通情報を前記ワーク鍵で暗号化した共通情報を、多重化して、前記１以上のコンテンツ受信装置それぞれに送信する第２のステップと、
前記１以上のコンテンツ受信装置それぞれが、前記コンテンツ送信装置から受信した暗号化されたスクランブル鍵と前記暗号化された共通情報とを、前記携帯端末に送信する第３のステップと、
前記携帯端末が、予め設定されている前記マスター鍵で、前記コンテンツ送信装置から受信した前記暗号化されたワーク鍵と前記暗号化された個別情報とを復号して、前記ワーク鍵と前記契約情報とを取得する第４のステップと、
前記携帯端末が、前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得する第５のステップと、
前記携帯端末が、前記第５のステップで取得された前記コンテンツに関する共通情報と、前記第４のステップで取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する第６のステップと、
前記携帯端末が、前記第６のステップで前記コンテンツを視聴可と判断された場合に、当該第６のステップで決定された視聴制御に従って、前記スクランブル鍵を前記１以上のコンテンツ受信装置に送信する第７のステップと、
を含むことを特徴とする限定受信方法。
【請求項５】
コンテンツ送信装置と、１以上のコンテンツ受信装置と、前記１以上のコンテンツ受信装置を操作する携帯端末とを備える限定受信システムにおける限定受信方法をコンピュータに実行させるためのプログラムであって、
前記コンテンツ送信装置が、前記コンテンツ送信装置に固有の鍵であるワーク鍵を、コンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報を前記マスター鍵で暗号した個別情報を作成し、暗号化したワーク鍵と前記暗号化した個別情報とを前記携帯端末に送信する第１のステップと、
前記コンテンツ送信装置が、スクランブル鍵で暗号化したコンテンツ、前記ワーク鍵で暗号化した前記スクランブル鍵、および少なくともコンテンツに関する共通情報を前記ワーク鍵で暗号化した共通情報を、多重化して、前記１以上のコンテンツ受信装置それぞれに送信する第２のステップと、
前記１以上のコンテンツ受信装置それぞれが、前記コンテンツ送信装置から受信した暗号化されたスクランブル鍵と前記暗号化された共通情報とを、前記携帯端末に送信する第３のステップと、
前記携帯端末が、予め設定されている前記マスター鍵で、前記コンテンツ送信装置から受信した前記暗号化されたワーク鍵と前記暗号化された個別情報とを復号して、前記ワーク鍵と前記契約情報とを取得する第４のステップと、
前記携帯端末が、前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得する第５のステップと、
前記携帯端末が、前記第５のステップで取得された前記コンテンツに関する共通情報と、前記第４のステップで取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する第６のステップと、
前記携帯端末が、前記第６のステップで前記コンテンツを視聴可と判断された場合に、当該第６のステップで決定された視聴制御に従って、前記スクランブル鍵を前記１以上のコンテンツ受信装置に送信する第７のステップと、
をコンピュータに実行させるプログラム。
【発明の詳細な説明】
【技術分野】
【０００１】
本発明は、デジタル放送の限定受信システム、限定受信方法、および限定受信プログラムに関し、特に、送信装置、受信装置、および受信装置を操作するための携帯端末を備えた限定受信システム、限定受信方法、および限定受信プログラムに関するものである。
【背景技術】
【０００２】
デジタル放送の限定受信方式において、ストリーミング配信されるコンテンツ（映像および音声）は、デジタル暗号化技術によりスクランブルされて、受信装置に送信される。コンテンツ提供者（例えば、放送事業者）は、契約者に、スクランブルされたコンテンツをデスクランブルするためのデスクランブル情報を交付する。デスクランブル情報には、契約に基づく特定のコンテンツをデスクランブルするための鍵、およびコンテンツの視聴可否に関する情報（以下、視聴権利という）が含まれている。デスクランブル情報が受信装置に設定されることにより、受信したコンテンツのスクランブルが解除され、契約者は受信装置にてコンテンツを視聴することができる。
【０００３】
コンテンツを受信する受信装置として市販されているテレビ受信機においては、Ｂ−ＣＡＳ（登録商標）方式と呼ばれる限定受信システムが採用されており、上述したデスクランブル情報を記憶したＢ−ＣＡＳカードが用いられている。Ｂ−ＣＡＳカードが装着されたテレビ受信機は、Ｂ−ＣＡＳカードに記憶されているデスクランブル情報を用いて、受信したコンテンツのスクランブルを解除し、表示可能な状態とした後のコンテンツを表示する。
【０００４】
コンテンツ提供者は、デスクランブル情報に含まれる鍵、並びに視聴権利の交付、更新、および削除により、契約者のコンテンツの視聴可否を制御することができる。例えば、デジタル放送では、社団法人電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）の標準規格「ＡＲＩＢ  ＳＴＤ−Ｂ２５」（非特許文献１）に準拠したＣＡＳ（Ｃｏｎｄｉｔｉｏｎａｌ  Ａｃｃｅｓｓ  Ｓｙｓｔｅｍｓ）によって、コンテンツのスクランブルが行われ、視聴の可否をコンテンツ提供者が制御している。
【先行技術文献】
【非特許文献】
【０００５】
【非特許文献１】「ＡＲＩＢ  ＳＴＤ−Ｂ２５」、社団法人電波産業会、５．０版、平成１９年３月１４日
【非特許文献２】株式会社  ビーエス・コンディショナルアクセスシステムズ    ｈｔｔｐ：／／ｗｗｗ．ｂ−ｃａｓ．ｃｏ．ｊｐ／
【発明の概要】
【発明が解決しようとする課題】
【０００６】
しかしながら、Ｂ−ＣＡＳ方式を採用するテレビ受信機の構成ではＢ−ＣＡＳカードに記憶されているデスクランブル情報に基づいて、コンテンツが含まれるデジタル放送波からコンテンツを復号するスクランブル鍵を抽出する装置（ＫＤＡ：Ｋｅｙ  Ｄｅｖｉｃｅ  Ａｇｅｎｔ）、契約者の視聴権利を判断する装置（ＲＭＰＩ：Ｒｉｇｈｔ  Ｍａｎａｇｅｍｅｎｔ  ａｎｄ  Ｐｒｏｔｅｃｔｉｏｎ  Ｉｎｆｏｒｍａｔｉｏｎ）およびコンテンツをデスクランブルする装置がテレビ受信機に一体として構成されているため、一つの契約で交付されたコンテンツの視聴権利を複数のテレビ受信機で同時に使用することができず、不便であるという問題点があった。
【０００７】
そこで、本発明は、上述の課題に鑑みてなされたものであり、コンテンツが含まれるデジタル放送波からコンテンツを復号するスクランブル鍵を取得する装置ＫＤＡの機能を携帯端末に備えることにより、限定受信方式において、携帯端末にて操作することができる全ての受信装置で同時にコンテンツの視聴が可能となる限定受信システム、限定受信方法、および限定受信プログラムを提供することを目的とする。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）  本発明は、コンテンツ送信装置と、１以上のコンテンツ受信装置と、前記１以上のコンテンツ受信装置を操作する携帯端末とを備える限定受信システムであって、前記コンテンツ送信装置は、コンテンツをスクランブル鍵で暗号化するスクランブル手段（例えば、図１のスクランブル部１１）と、前記コンテンツ送信装置に固有の鍵であるワーク鍵で前記スクランブル鍵を暗号化するとともに、少なくともコンテンツに関する共通情報を前記ワーク鍵で暗号化した共通情報を作成するワーク鍵暗号化手段（例えば、図１のワーク鍵暗号化部１２）と、暗号化されたコンテンツ、暗号化されたスクランブル鍵、および前記暗号化された共通情報を多重化して、前記１以上のコンテンツ受信装置それぞれに送信する第１の送信手段（例えば、図１の多重送信部１３）と、前記ワーク鍵をコンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報とを、前記マスター鍵で暗号した個別情報を作成するマスター鍵暗号化手段（例えば、図１のマスター鍵暗号化部１４）と、前記暗号化されたワーク鍵と前記暗号化された個別情報とを、前記携帯端末に送信する第２の送信手段（例えば、図１の鍵送信部１５）と、を備え、前記携帯端末は、予め設定されている前記マスター鍵で、前記コンテンツ送信装置から受信した前記暗号化されたワーク鍵と前記暗号化された個別情報とを復号し、前記ワーク鍵と前記契約情報とを取得するワーク鍵復号化手段（例えば、図１のワーク鍵復号化部２１）と、前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得するスクランブル鍵復号化手段（例えば、図１のスクランブル鍵復号化部２２）と、前記スクランブル鍵復号化手段で取得された前記コンテンツに関する共通情報と、前記ワーク鍵復号化手段で取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する視聴判断手段（例えば、図１の視聴判断部２３）と、前記視聴判断手段により前記コンテンツを視聴可と判断された場合に、当該視聴判断手段で決定された視聴制御に従って、前記スクランブル鍵を前記１以上のコンテンツ受信装置に送信する第３の送信手段（例えば、図１のスクランブル鍵復号化部２２）と、を備え、前記１以上のコンテンツ受信装置それぞれは、前記コンテンツ送信装置から受信した、前記暗号化されたスクランブル鍵および前記暗号化された共通情報を、前記携帯端末に送信する第４の送信手段（例えば、図１の多重分離部３１）と、前記携帯端末からスクランブル鍵を受信し、前記コンテンツ送信装置から受信した前記暗号化されたコンテンツを、受信したスクランブル鍵で復号するデスクランブル手段（例え���、図１のデスクランブル部３２）と、を備えることを特徴とする限定受信システムを提案している。
【００１０】
この発明によれば、スクランブル手段は、コンテンツをスクランブル鍵で暗号化する。
ワーク鍵暗号化手段は、コンテンツ送信装置に固有の鍵であるワーク鍵でスクランブル鍵を暗号化するとともに、少なくともコンテンツに関する共通情報をワーク鍵で暗号化した共通情報を作成する。第１の送信手段は、暗号化されたコンテンツ、暗号化されたスクランブル鍵、および暗号化された共通情報を多重化して、１以上のコンテンツ受信装置それぞれに送信する。マスター鍵暗号化手段は、ワーク鍵をコンテンツ受信者に固有の鍵であるマスター鍵で暗号化するとともに、コンテンツの視聴可否を判定するための視聴可否情報と１以上のコンテンツ受信装置に対する視聴制御情報とを含む契約情報とを、マスター鍵で暗号した個別情報を作成する第２の送信手段は、暗号化されたワーク鍵と暗号化された個別情報とを、携帯端末に送信する。ワーク鍵復号化手段は、予め設定されているマスター鍵で、コンテンツ送信装置から受信した前記暗号化されたワーク鍵と暗号化された個別情報とを復号し、ワーク鍵と契約情報とを取得する。スクランブル鍵復号化手段は、１以上のコンテンツ受信装置それぞれから受信した、暗号化されたスクランブル鍵と暗号化された共通情報とを前記ワーク鍵で復号し、スクランブル鍵とコンテンツに関する共通情報とを取得する。視聴判断手段は、スクランブル鍵復号化手段で取得されたコンテンツに関する共通情報と、ワーク鍵復号化手段で取得された契約情報に含まれるコンテンツの視聴可否を判定するための視聴可否情報とに基づいて、コンテンツの視聴可否を判断し、コンテンツに関する共通情報と、契約情報に含まれる１以上のコンテンツ受信装置に対する視聴制御情報とに基づいて、１以上のコンテンツ受信装置に対するコンテンツの視聴制御を決定する。第３の送信手段は、視聴判断手段によりコンテンツを視聴可と判断された場合に、視聴判断手段で決定された視聴制御に従って、スクランブル鍵を１以上のコンテンツ受信装置に送信する。第４の送信手段は、コンテンツ送信装置から受信した、暗号化されたスクランブル鍵および暗号化された共通情報を、携帯端末に送信する。デスクランブル手段は、携帯端末からスクランブル鍵を受信し、コンテンツ送信装置から受信した暗号化されたコンテンツを、受信したスクランブル鍵で復号する。したがって、携帯端末において、コンテンツが含まれるデジタル放送波からコンテンツを復号するスクランブル鍵を取得することにより、携帯端末にて操作できる１以上のコンテンツ受信装置それぞれで、同一若しくは異なるコンテンツを同時に、視聴や録画予約等をすることができる。それとともに、携帯端末がコンテンツに関する情報と契約情報とを取得することにより、携帯端末において、コンテンツの視聴可否の判断を行うことができる。また、契約情報に１以上のコンテンツ受信装置に対する視聴制御情報として、視聴可能なコンテンツ受信装置の台数や視聴可能な時間を含めることにより、１以上のコンテンツ受信装置それぞれでのコンテンツ視聴の制御を、携帯端末でまとめて行うことができる。
【００１１】
（２）  本発明によれば、（１）の限定受信システムについて、前記携帯端末は、ユーザからの操作入力を受け付ける入力手段を備え、前記スクランブル鍵復号化手段は、前記入力手段を介して、前記１以上のコンテンツ受信装置それぞれに対する、ユーザによるコンテンツ選択の入力を受け付けたことに応じて、コンテンツ選択が行われたコンテンツ受信装置にスクランブル鍵を送信することを特徴とする限定受信システムを提案している。
【００１２】
この発明によれば、入力手段は、ユーザからの操作入力を受け付ける。スクランブル鍵復号化手段は、入力手段を介して、１以上のコンテンツ受信装置それぞれに対する、ユーザによるコンテンツ選択の入力を受け付けたことに応じて、コンテンツ選択が行われたコンテンツ受信装置それぞれにスクランブル鍵を送信する。したがって、携帯端末が、コンテンツ選択の入力に応じて、スクランブル鍵を送信することにより、再生するコンテンツの復号に必要なスクランブル鍵のみをコンテンツ受信装置に送信することができる。
【００１３】
（３）  本発明によれば、（１）または（２）の限定受信システムについて、前記携帯端末は、前記マスター鍵を前記コンテンツ送信装置との通信により取得することを特徴とする限定受信システムを提案している。
【００１４】
この発明によれば、携帯端末は、マスター鍵をコンテンツ送信装置との通信により取得する。したがって、より携帯端末はより安全な方法でマスター鍵を取得することができる。
【００１５】
（４）  本発明によれば、コンテンツ送信装置と、１以上のコンテンツ受信装置と、前記１以上のコンテンツ受信装置を操作する携帯端末とを備える限定受信システムにおける限定受信方法であって、前記コンテンツ送信装置が、前記コンテンツ送信装置に固有の鍵であるワーク鍵を、コンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報を前記マスター鍵で暗号した個別情報を作成し、暗号化したワーク鍵と前記暗号化した個別情報とを前記携帯端末に送信する第１のステップと、前記コンテンツ送信装置が、スクランブル鍵で暗号化したコンテンツ、前記ワーク鍵で暗号化した前記スクランブル鍵、および少なくともコンテンツに関する共通情報を前記ワーク鍵で暗号化した共通情報を、多重化して、前記１以上のコンテンツ受信装置それぞれに送信する第２のステップと、前記１以上のコンテンツ受信装置それぞれが、前記コンテンツ送信装置から受信した暗号化されたスクランブル鍵と前記暗号化された共通情報とを、前記携帯端末に送信する第３のステップと、前記携帯端末が、予め設定されている前記マスター鍵で、前記コンテンツ送信装置から受信した前記暗号化されたワーク鍵と前記暗号化された個別情報とを復号して、前記ワーク鍵と前記契約情報とを取得する第４のステップと、前記携帯端末が、前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得する第５のステップと、前記携帯端末が、前記第５のステップで取得された前記コンテンツに関する共通情報と、前記第４のステップで取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する第６のステップと、前記携帯端末が、前記第６のステップで前記コンテンツを視聴可と判断された場合に、当該第６のステップで決定された視聴制御に従って、前記スクランブル鍵を前記１以上のコンテンツ受信装置に送信する第７のステップ（例えば、図１のステップＳ４）と、を含むことを特徴とする限定受信方法を提案している。
【００１６】
この発明によれば、まず、第１のステップにおいて、コンテンツ送信装置が、コンテンツ送信装置に固有の鍵であるワーク鍵を、コンテンツ受信者に固有の鍵であるマスター鍵で暗号化するとともに、コンテンツの視聴可否を判定するための視聴可否情報と１以上のコンテンツ受信装置に対する視聴制御情報とを含む契約情報をマスター鍵で暗号した個別情報を作成し、暗号化したワーク鍵と暗号化した個別情報とを携帯端末に送信する。次に、第２のステップにおいて、コンテンツ送信装置が、スクランブル鍵で暗号化したコンテンツ、ワーク鍵で暗号化したスクランブル鍵、および少なくともコンテンツに関する共通情報をワーク鍵で暗号化した共通情報を、多重化して、１以上のコンテンツ受信装置それぞれに送信する。次に、第３のステップにおいて、１以上のコンテンツ受信装置それぞれが、コンテンツ送信装置から受信した暗号化されたスクランブル鍵と暗号化された共通情報とを、携帯端末に送信する。次に、第４のステップにおいて、携帯端末が、予め設定されているマスター鍵で、コンテンツ送信装置から受信した暗号化されたワーク鍵と暗号化された個別情報とを復号して、ワーク鍵と契約情報とを取得する。次に、第５のステップにおいて、携帯端末が、１以上のコンテンツ受信装置それぞれから受信した、暗号化されたスクランブル鍵と暗号化された共通情報とをワーク鍵で復号し、スクランブル鍵とコンテンツに関する共通情報とを取得する。次に、第６のステップにおいて、携帯端末が、第５のステップで取得されたコンテンツに関する共通情報と、第４のステップで取得された契約情報に含まれるコンテンツの視聴可否を判定するための視聴可否情報とに基づいて、コンテンツの視聴可否を判断し、コンテンツに関する共通情報と、契約情報に含まれる１以上のコンテンツ受信装置に対する視聴制御情報とに基づいて、１以上のコンテンツ受信装置に対するコンテンツの視聴制御を決定する。次に、第７のステップにおいて、携帯端末が、第６のステップで前記コンテンツを視聴可と判断された場合に、第６のステップで決定された視聴制御に従って、スクランブル鍵を１以上のコンテンツ受信装置に送信する。したがって、携帯端末において、コンテンツが含まれるデジタル放送波からコンテンツを復号するスクランブル鍵を取得することにより、携帯端末にて操作できる１以上のコンテンツ受信装置それぞれで、同一若しくは異なるコンテンツを同時に、視聴や録画予約等をすることができる。それとともに、携帯端末がコンテンツに関する情報と契約情報とを取得することにより、携帯端末において、コンテンツの視聴可否の判断を行うことができる。また、契約情報に１以上のコンテンツ受信装置に対する視聴制御情報として、視聴可能なコンテンツ受信装置の台数や視聴可能な時間を含めることにより、１以上のコンテンツ受信装置それぞれでのコンテンツ視聴の制御を、携帯端末でまとめて行うことができる。
【００１７】
（５）  本発明によれば、コンテンツ送信装置と、１以上のコンテンツ受信装置と、前記１以上のコンテンツ受信装置を操作する携帯端末とを備える限定受信システムにおける限定受信方法をコンピュータに実行させるためのプログラムであって、前記コンテンツ送信装置が、前記コンテンツ送信装置に固有の鍵であるワーク鍵を、コンテンツ受信者に固有の鍵であるマスター鍵で暗号化するとともに、コンテンツの視聴可否を判定するための視聴可否情報と前記１以上のコンテンツ受信装置に対する視聴制御情報とを含む契約情報を前記マスター鍵で暗号した個別情報を作成し、暗号化したワーク鍵と前記暗号化した個別情報とを前記携帯端末に送信する第１のステップと、前記コンテンツ送信装置が、スクランブル鍵で暗号化したコンテンツ、前記ワーク鍵で暗号化した前記スクランブル鍵、および少なくともコンテンツに関する共通情報を前記ワーク鍵で暗号化した共通情報を、多重化して、前記１以上のコンテンツ受信装置それぞれに送信する第２のステップと、前記１以上のコンテンツ受信装置それぞれが、前記コンテンツ送信装置から受信した暗号化されたスクランブル鍵と前記暗号化された共通情報とを、前記携帯端末に送信する第３のステップと、前記携帯端末が、予め設定されている前記マスター鍵で、前記コンテンツ送信装置から受信した前記暗号化されたワーク鍵と前記暗号化された個別情報とを復号して、前記ワーク鍵と前記契約情報とを取得する第４のステップと、前記携帯端末が、前記１以上のコンテンツ受信装置それぞれから受信した、前記暗号化されたスクランブル鍵と前記暗号化された共通情報とを前記ワーク鍵で復号し、前記スクランブル鍵と前記コンテンツに関する共通情報とを取得する第５のステップと、前記携帯端末が、前記第５のステップで取得された前記コンテンツに関する共通情報と、前記第４のステップで取得された前記契約情報に含まれるコンテンツの視聴可否を判定するための視聴可否情報とに基づいて、前記コンテンツの視聴可否を判断し、当該コンテンツに関する共通情報と、当該契約情報に含まれる前記１以上のコンテンツ受信装置に対する視聴制御情報とに基づいて、当該１以上のコンテンツ受信装置に対する前記コンテンツの視聴制御を決定する第６のステップと、前記携帯端末が、前記第６のステップで前記コンテンツを視聴可と判断された場合に、当該第６のステップで決定された視聴制御に従って、前記スクランブル鍵を前記１以上のコンテンツ受信装置に送信する第７のステップ（例えば、図１のステップＳ４）と、をコンピュータに実行させるプログラムを提案している。
【００１８】
この発明によれば、まず、第１のステップにおいて、コンテンツ送信装置が、コンテンツ送信装置に固有の鍵であるワーク鍵を、コンテンツ受信者に固有の鍵であるマスター鍵で暗号化するとともに、コンテンツの視聴可否を判定するための視聴可否情報と１以上のコンテンツ受信装置に対する視聴制御情報とを含む契約情報をマスター鍵で暗号した個別情報を作成し、暗号化したワーク鍵と暗号化した個別情報とを携帯端末に送信する。次に、第２のステップにおいて、コンテンツ送信装置が、スクランブル鍵で暗号化したコンテンツ、ワーク鍵で暗号化したスクランブル鍵、および少なくともコンテンツに関する共通情報をワーク鍵で暗号化した共通情報を、多重化して、１以上のコンテンツ受信装置それぞれに送信する。次に、第３のステップにおいて、１以上のコンテンツ受信装置それぞれが、コンテンツ送信装置から受信した暗号化されたスクランブル鍵と暗号化された共通情報とを、携帯端末に送信する。次に、第４のステップにおいて、携帯端末が、予め設定されているマスター鍵で、コンテンツ送信装置から受信した暗号化されたワーク鍵と暗号化された個別情報とを復号して、ワーク鍵と契約情報とを取得する。次に、第５のステップにおいて、携帯端末が、１以上のコンテンツ受信装置それぞれから受信した、暗号化されたスクランブル鍵と暗号化された共通情報とをワーク鍵で復号し、スクランブル鍵とコンテンツに関する共通情報とを取得する。次に、第６のステップにおいて、携帯端末が、第５のステップで取得されたコンテンツに関する共通情報と、第４のステップで取得された契約情報に含まれるコンテンツの視聴可否を判定するための視聴可否情報とに基づいて、コンテンツの視聴可否を判断し、コンテンツに関する共通情報と、契約情報に含まれる１以上のコンテンツ受信装置に対する視聴制御情報とに基づいて、１以上のコンテンツ受信装置に対するコンテンツの視聴制御を決定する。次に、第７のステップにおいて、携帯端末が、第６のステップで前記コンテンツを視聴可と判断された場合に、第６のステップで決定された視聴制御に従って、スクランブル鍵を１以上のコンテンツ受信装置に送信する。したがって、携帯端末において、コンテンツが含まれるデジタル放送波からコンテンツを復号するスクランブル鍵を取得することにより、携帯端末にて操作できる１以上のコンテンツ受信装置それぞれで、同一若しくは異なるコンテンツを同時に、視聴や録画予約等をすることができる。それとともに、携帯端末がコンテンツに関する情報と契約情報とを取得することにより、携帯端末において、コンテンツの視聴可否の判断を行うことができる。また、契約情報に１以上のコンテンツ受信装置に対する視聴制御情報として、視聴可能なコンテンツ受信装置の台数や視聴可能な時間を含めることにより、１以上のコンテンツ受信装置それぞれでのコンテンツ視聴の制御を、携帯端末でまとめて行うことができる。
【発明の効果】
【００２１】
本発明によれば、コンテンツが含まれるデジタル放送波からコンテンツを復号するスクランブル鍵を取得する装置ＫＤＡの機能を携帯端末に備えることにより、限定受信方式において、携帯端末にて操作することができる全ての受信装置で同時にコンテンツの視聴が可能となる。
【図面の簡単な説明】
【００２２】
【図１】本発明の実施形態に係る限定受信システムの構成図である。
【図２】本発明の実施形態に係る限定受信システムの処理を示すシーケンス図である。
【発明を実施するための形態】
【００２３】
以下、図面を用いて、本発明の実施形態について詳細に説明する。なお、本実施形態における構成要素は適宜、既存の構成要素等との置き換えが可能であり、また、他の既存の構成要素との組み合わせを含むさまざまなバリエーションが可能である。したがって、本実施形態の記載をもって、特許請求の範囲に記載された発明の内容を限定するものではない。
【００２４】
＜限定受信システムの構成＞
図１は、本発明の実施形態に係る限定受信システム１の構成図である。限定受信システム１は、限定受信方式によりコンテンツの配信を行うシステムであって、図１に示すように、コンテンツ送信装置１０、携帯端末２０、およびコンテンツ受信装置３０ａ、３０ｂを備える。本実施形態において、コンテンツ受信装置は２台とするが、１台であってもよいし、２台以上であってもよい。なお、以下、コンテンツ受信装置３０ａ、３０ｂを区別しない場合には、単にコンテンツ受信装置３０とする。
【００２５】
コンテンツ送信装置１０とコンテンツ受信装置３０とは、衛星や地上波、ＩＰ網、またはＣＡＴＶ網により接続され、デジタル放送波でコンテンツ送信装置１０からコンテンツ受信装置３０にコンテンツが送信される。コンテンツ送信装置１０と携帯端末２０とは、通信ネットワークを介して接続され、情報の送受信が行われる。コンテンツ受信装置３０と携帯端末２０とは、赤外線や無線電波等の無線回線により接続され、情報の送受信が行われる。
【００２６】
コンテンツ送信装置１０は、コンテンツ提供者側にある装置であって、視聴者の端末（後述するコンテンツ受信装置３０）にコンテンツを送信するための装置である。なお、本実施形態において、視聴者とは、コンテンツ提供者とコンテンツの視聴契約をした契約者であって、視聴契約したコンテンツを視聴する者である。コンテンツ送信装置１０は、図１に示すように、スクランブル部１１、ワーク鍵暗号化部１２、マスター鍵暗号化部１４、多重送信部１３、鍵送信部１５を備える。
【００２７】
スクランブル部１１は、コンテンツを暗号化するために利用するスクランブル鍵Ｋｓを生成し、生成したスクランブル鍵Ｋｓでコンテンツ受信装置３０に送信するコンテンツを暗号化する。スクランブル鍵Ｋｓは、数秒毎に、例えば、乱数を用いて生成される。
【００２８】
ワーク鍵暗号化部１２は、ワーク鍵Ｋｗを生成し、生成したワーク鍵Ｋｗでコンテンツの暗号化に用いたスクランブル鍵Ｋｓを暗号化する。スクランブル鍵Ｋｓが数秒毎に変更されるため、ワーク鍵暗号化部１２は、そのたびにスクランブル鍵Ｋｓをワーク鍵Ｋｗで暗号化する。ワーク鍵Ｋｗは、コンテンツ毎に、１カ月毎等のように定期的に生成される。また、ワーク鍵Ｋｗもスクランブル鍵Ｋｓ同様に、例えば、乱数を用いて生成される。
【００２９】
また、ワーク鍵暗号化部１２は、スクランブル鍵Ｋｓのみではなく、スクランブル鍵Ｋｓと併せて、コンテンツに関する情報を少なくとも含む共通情報（ＥＣＭ：Ｅｎｔｉｔｌｅｍｅｎｔ  Ｃｏｎｔｒｏｌ  Ｍｅｓｓａｇｅ）をワーク鍵Ｋｗで暗号化してもよい。ここで、コンテンツに関する情報には、コンテンツの視聴可否や録画可否に関する情報等が含まれる。
【００３０】
マスター鍵暗号化部１４は、ワーク鍵Ｋｗをマスター鍵Ｋｍで暗号化する。マスター鍵Ｋｍは、契約者固有の鍵であって、契約者毎に用意されている。マスター鍵Ｋｍは、契約者によりコンテンツの視聴の申請があったときに生成され、記憶部（図示せず）に格納されている。また、マスター鍵Ｋｍは、スクランブル鍵Ｋｓやワーク鍵Ｋｗ同様、例えば、乱数を用いて生成される。
【００３１】
また、マスター鍵暗号化部１４は、ワーク鍵Ｋｗのみではなく、ワーク鍵Ｋｗと併せて、契約者それぞれの契約情報を含む個別情報（ＥＭＭ：Ｅｎｔｉｔｌｅｍｅｎｔ  Ｍａｎａｇｅｍｅｎｔ  Ｍｅｓｓａｇｅ）をワーク鍵Ｋｗで暗号化してもよい。ここで、契約情報とは、契約者が視聴権利を有するコンテンツに関する情報である。契約情報は、コンテンツ提供者が、契約者によりコンテンツの視聴の申請があったときに、作成または更新され、マスター鍵Ｋｍと併せて記憶部に格納されている。
【００３２】
多重送信部１３は、スクランブル部１１で暗号化されたコンテンツと、ワーク鍵暗号化部１２で暗号化されたスクランブル鍵Ｋｓとを多重化し、デジタル放送波としてコンテンツ受信装置３０に送信する。なお、ワーク鍵暗号化部１２で、スクランブル鍵Ｋｓを含むＥＣＭが暗号化された場合には、暗号化されたコンテンツとＥＣＭとが多重化されて、デジタル放送波として送信される。
【００３３】
鍵送信部１５は、マスター鍵暗号化部１４で暗号化されたワーク鍵Ｋｗを携帯端末２０に送信する。また、マスター鍵暗号化部１４でワーク鍵Ｋｗを含むＥＭＭが暗号化された場合には、鍵送信部１５は、暗号化されたＥＭＭを携帯端末２０に送信する。
【００３４】
携帯端末２０は、視聴者側の端末であって、コンテンツ受信装置３０のリモコンとして機能を有する端末である。携帯端末２０は、通信機能およびリモコン機能を有していればよく、例えば、携帯電話機、スマートフォン、ＰＤＡ、ゲーム機等である。携帯端末２０は、図１に示すように、ワーク鍵復号化部２１、スクランブル鍵復号化部２２、マスター鍵記憶部２４、および視聴判断部２３を備える。
【００３５】
マスター鍵記憶部２４は、予めコンテンツ提供者から交付されたマスター鍵Ｋｍを格納している。
【００３６】
ワーク鍵復号化部２１は、コンテンツ送信装置１０から暗号化されたワーク鍵Ｋｗを受信する。そして、ワーク鍵復号化部２１は、受信した暗号化されたワーク鍵Ｋｗをマスター鍵記憶部２４に格納されているマスター鍵Ｋｍで復号し、ワーク鍵Ｋｗを取得する。なお、コンテンツ送信装置１０から暗号化されたＥＭＭを受信した場合には、ＥＭＭをマスター鍵Ｋｍで復号し、ワーク鍵Ｋｗとともに契約情報を取得する。
【００３７】
スクランブル鍵復号化部２２は、コンテンツ受信装置３０から暗号化されたスクランブル鍵Ｋｓを受信する。そして、スクランブル鍵復号化部２２は、受信した暗号化されたスクランブル鍵Ｋｓをワーク鍵復号化部２１で取得されたワーク鍵Ｋｗで復号し、スクランブル鍵Ｋｓを取得する。なお、コンテンツ受信装置３０から暗号化されたＥＣＭを受信した場合には、ＥＣＭをワーク鍵Ｋｗで復号し、スクランブル鍵Ｋｓとともにコンテンツに関する情報を取得する。
【００３８】
また、スクランブル鍵復号化部２２は、取得したスクランブル鍵Ｋｓをコンテンツ受信装置３０に送信する。なお、携帯端末２０の入力部（図示せず）を介して、ユーザによるコンテンツ選択の入力を受け付けたことに応じて、スクランブル鍵復号化部２２は、コンテンツ受信装置３０にスクランブル鍵Ｋｓを送信してもよい。その際、ユーザにより選択されたコンテンツの視聴や録画や予約を行うためのリモコン信号も、コンテンツ受信装置３０に送信される。
【００３９】
視聴判断部２３は、コンテンツ送信装置１０から暗号化されたＥＭＭを、コンテンツ受信装置３０から暗号化されたＥＣＭを受信した場合に、コンテンツの視聴可否の判断を行う。具体的には、視聴判断部２３は、ワーク鍵復号化部２１で取得された契約情報と、スクランブル鍵復号化部２２で取得されたコンテンツに関する情報とを比較し、コンテンツの視聴可否を判断する。
【００４０】
視聴判断部２３は、コンテンツの視聴が可能であると判断した場合には、スクランブル鍵復号化部２２で取得したスクランブル鍵Ｋｓをコンテンツ受信装置３０に送信する。一方、コンテンツの視聴が可能でないと判断した場合には、スクランブル鍵復号化部２２で取得したスクランブル鍵Ｋｓをコンテンツ受信装置３０に送信しない。このようにして、従来、コンテンツ受信装置３０で行っていたコンテンツ視聴可否の判断を、携帯端末２０において行うことができる。
【００４１】
コンテンツ受信装置３０は、携帯端末２０同様、視聴者側の装置であって、コンテンツ送信装置１０から受信したコンテンツを再生する装置である。コンテンツ受信装置３０は、デジタル放送波を受信する機能を有すればよく、例えば、テレビ受像機や表示装置を備えたＳＴＢ（Ｓｅｔ  Ｔｏｐ  Ｂｏｘ）等である。コンテンツ受信装置３０は、図１に示すように、コンテンツ受信装置は、多重分離部３１、デスクランブル部３２を備える。
【００４２】
多重分離部３１は、コンテンツ送信装置１０から受信したデジタル放送波から、暗号化されたコンテンツおよび暗号化されたスクランブル鍵Ｋｓを分離する。そして、多重分離部３１は、分離したスクランブル鍵Ｋｓを携帯端末２０に送信する。また、多重分離部３１は、分離した暗号化されたコンテンツをデスクランブル部３２に送信する。
【００４３】
デスクランブル部３２は、携帯端末２０からスクランブル鍵Ｋｓを受信すると、受信したスクランブル鍵Ｋｓで、多重分離部３１から受信した暗号化されたコンテンツをデスクランブルし、ディスプレイ等の表示部（図示せず）へ渡してコンテンツとして再生する。
【００４４】
＜限定受信システムの処理＞
本発明の実施形態に係る限定受信システム１の処理を図２に示すシーケンス図を用いて説明する。
【００４５】
コンテンツ送信装置１０のマスター鍵暗号化部１４は、コンテンツ送信装置１０のワーク鍵暗号化部１２で生成されたワーク鍵Ｋｗを、予め記憶部に格納しているマスター鍵Ｋｍで暗号化する。暗号化されたワーク鍵Ｋｗは、コンテンツ送信装置１０の鍵送信部１５により携帯端末２０に送信される。通常、ワーク鍵ＫｗはＥＭＭに含まれ、マスター鍵暗号化部１４は、ワーク鍵Ｋｗを含むＥＭＭを暗号化し、コンテンツ送信装置１０の鍵送信部１５により携帯端末２０に送信する（ステップＳ１）。例えば、ワーク鍵Ｋｗはコンテンツの利用料金の請求支払い周期に合わせて更新され、更新されたことに応じてワーク鍵Ｋｗは暗号化されて携帯端末２０に送信される。
【００４６】
コンテンツ送信装置１０のスクランブル部１１が、コンテンツを取得すると、スクランブル鍵Ｋｓの生成を開始する。スクランブル鍵Ｋｓが生成されるたびに、コンテンツ送信装置１０のスクランブル部１１は、生成されたスクランブル鍵Ｋｓでコンテンツを暗号化する。また、コンテンツ送信装置１０のワーク鍵暗号化部１２は、コンテンツ送信装置１０のスクランブル部１１がスクランブル鍵Ｋｓを生成すると、ワーク鍵Ｋｗを生成する。そして、コンテンツ送信装置１０のワーク鍵暗号化部１２は、生成されたワーク鍵Ｋｗでコンテンツ送信装置１０のスクランブル部１１で生成されたスクランブル鍵Ｋｓを暗号化する。通常、スクランブル鍵ＫｓはＥＣＭに含まれ、ワーク鍵暗号化部１２は、スクランブル鍵Ｋｓを含むＥＣＭを暗号化する。暗号化されたコンテンツと、暗号化されたＥＣＭとを、コンテンツ送信装置１０の多重送信部１３は多重化し、デジタル放送波としてコンテンツ受信装置３０に送信する（ステップＳ２）。
【００４７】
コンテンツ受信装置３０の多重分離部３１は、コンテンツ送信装置１０から受信したデジタル放送波から暗号化されたスクランブル鍵Ｋｓを分離し、分離したスクランブル鍵Ｋｓを携帯端末２０に送信する（ステップＳ３）。
【００４８】
携帯端末２０のワーク鍵復号化部２１は、コンテンツ送信装置１０から受信した暗号化されたワーク鍵Ｋｗを記憶部に格納されているマスター鍵Ｋｍで復号し、ワーク鍵Ｋｗを取得する。携帯端末２０のスクランブル鍵復号化部２２は、取得したワーク鍵Ｋｗで、コンテンツ受信装置３０から受信した暗号化されたスクランブル鍵Ｋｓを復号し、スクランブル鍵Ｋｓをコンテンツ受信装置３０に送信する（ステップＳ４）。
【００４９】
コンテンツ受信装置３０のデスクランブル部３２は、多重分離部３１がコンテンツ送信装置１０から受信したデジタル放送波から分離した暗号化されたコンテンツを、携帯端末２０から受信したスクランブル鍵Ｋｓで復号し、ディスプレイ等の表示部へ渡してコンテンツとして再生する。
【００５０】
以上説明したように、本実施形態によれば、携帯端末において、コンテンツが含まれるデジタル放送波からコンテンツを復号するスクランブル鍵を取得することにより、携帯端末にて操作できる１以上のコンテンツ受信装置で、同一若しくは異なるコンテンツを同時に、視聴や録画予約等を実現することができる。また、携帯端末において、コンテンツの視聴可否の判断を行うことができる。さらに、契約情報に視聴可能なコンテンツ受信装置の台数や、視聴可能な時間を含めることにより、１以上のコンテンツ受信装置それぞれでのコンテンツ視聴の制御を、携帯端末でまとめて行うことができる。
【００５１】
なお、限定受信システムの処理をコンピュータ読み取り可能な記録媒体に記録し、この記録媒体に記録されたプログラムを、限定受信システムを構成する各機器に読み込ませ、実行することによって本発明の限定受信システムを実現することができる。ここでいうコンピュータシステムとは、ＯＳや周辺装置等のハードウェアを含む。
【００５２】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５３】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５４】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５５】
１    限定受信システム
１０  コンテンツ送信装置
１１  スクランブル部
１２  ワーク鍵暗号化部
１３  多重送信部
１４  マスター鍵暗号化部
１５  鍵送信部
２０  携帯端末
２１  ワーク鍵復号化部
２２  スクランブル鍵復号化部
２３  視聴判断部
２４  マスター鍵記憶部
３０  コンテンツ受信装置
３１  多重分離部
３２  デスクランブル部
【図１】
0005613066.tif 000002
【図２】
0005613066.tif 000003